(57)【特許請求の範囲】
【請求項１】
キャビネット外面を構成する外板と庫内内面を構成する内板との間に断熱材を介在させて構成される断熱キャビネットと、
前記庫内で対向する一対の内板に夫々設けられた一対の補強部材取付部と、
前記一対の補強部材取付部のうちの一方の補強部材取付部に一端部が連結され、且つ他方の補強部材取付部に他端部が連結された橋架状補強部材と、を備え、
前記橋架状補強部材は、前記内板において前後方向の少なくともほぼ中間部で固定され、
前記断熱キャビネットの断熱材は、真空断熱パネルから構成されており、
前記一対の補強部材取付部は、左右に対向する前記一対の内板に夫々設けられ、
前記橋架状補強部材は、この一対の補強部材取付部に左右方向の連結位置調整可能に連結されることを特徴とする冷蔵庫。
【請求項２】
前記断熱キャビネットとは別部材であって前記庫内を上下に仕切り且つ貯蔵品が配置される板部材を備え、
前記一対の補強部材取付部を、前記一対の内板の対向内面において前記板部材の左右端部の近傍であって且つ当該板部材の下側となる部位に設け、この一対の補強部材取付部に前記橋架状補強部材を連結したことを特徴とする請求項１に記載の冷蔵庫。
【請求項３】
前記橋架状補強部材として、前記断熱キャビネットとは別部材であって前記庫内を上下に仕切る断熱仕切壁を備え、
前記一対の補強部材取付部を、前記一対の内板の対向内面において前記断熱仕切壁の左右端部の近傍となる部位に設け、この一対の補強部材取付部に前記橋架状補強部材を連結したことを特徴とする請求項１に記載の冷蔵庫。
【請求項４】
前記補強部材取付部は、前記内板と別部材により構成されており、且つ、この補強部材取付部は、突出部とこの突出部から延出された延出部とを有し、
前記内板には、孔部が形成され、
前記補強部材取付部の前記延出部が前記内板裏面の孔部周辺部と前記真空断熱パネルとに接着された形態で前記突出部が前記孔部から前記内板表側に突出することを特徴とする請求項１に記載の冷蔵庫。
【請求項５】
前記補強部材取付部は、金属板から構成され、且つ、前記突出部と前記延出部とが断面Ｌ状に連続していることを特徴とする請求項４に記載の冷蔵庫。
【請求項６】
前記補強部材取付部は、金属板から構成され、且つ、ほぼ水平をなす前記突出部の基端部に対して前記延出部が上下方向に延出する断面Ｔ状をなすことを特徴とする請求項４に記載の冷蔵庫。
【請求項７】
前記補強部材取付部の突出部には、連結用孔部が形成され、
前記橋架状補強部材の両端部には、前記連結用孔部に挿入係合される突起部が形成されていることを特徴とする請求項４から６のいずれか一項に記載の冷蔵庫。
【請求項８】
前記断熱キャビネットの上部後部にコンプレッサを備え、
前記橋架状補強部材は、前記コンプレッサよりも前の部分に位置することを特徴とする請求項１から７のいずれか一項に記載の冷蔵庫。
【請求項９】
前記断熱キャビネットとは別部材であって前記庫内を上下に仕切り且つ貯蔵品が配置される板部材により前記橋架状補強部材が構成されていることを特徴とする請求項１から８のいずれか一項に記載の冷蔵庫。
【請求項１０】
前記断熱キャビネットとは別部材であって前記庫内を上下に仕切る断熱仕切壁により前記橋架状補強部材が構成されていることを特徴とする請求項１から８のいずれか一項に記載の冷蔵庫。
【発明の詳細な説明】
【技術分野】
【０００１】
本発明の実施形態は、冷蔵庫に関する。
【背景技術】
【０００２】
冷蔵庫の本体である断熱キャビネットは、外側面を構成する外箱と庫内内面を構成する内箱との間に断熱材を介在させて、全体としてほぼ箱状に構成されている。
【先行技術文献】
【特許文献】
【０００３】
【特許文献１】特開２００６−１５３４４３号公報
【特許文献２】特開２０１１−９９５６６１号公報
【発明の概要】
【発明が解決しようとする課題】
【０００４】
冷蔵庫では、庫内が冷却されるため、断熱キャビネットの庫内内面側の部分が収縮し、断熱キャビネットの外側部分との収縮率の差によって、断熱キャビネットの壁の厚みが薄いと、断熱キャビネットの壁が外側へ膨らむように湾曲することがある。この湾曲の様子を図２７及び図２８に概略的に示し、同図に示すように断熱キャビネット１１１が二点鎖線のように湾曲する。なお、この湾曲の程度は、理解を容易にするために実際よりも大きめに表している。
【０００５】
そこで、断熱キャビネットの壁が外側へ膨らむことを防止できる冷蔵庫を提供する。
【課題を解決するための手段】
【０００６】
実施形態の冷蔵庫は、キャビネット外面を構成する外板と庫内内面を構成する内板との間に断熱材を介在させて構成される断熱キャビネットと、前記庫内で対向する内板に夫々設けられた一対の補強部材取付部と、前記一対の補強部材取付部のうちの一方の補強部材取付部に一端部が連結され、且つ他方の補強部材取付部に他端部が連結された橋架状補強部材とを備える。前記橋架状補強部材は、前記内板において前後方向の少なくともほぼ中間部で固定され、前記断熱キャビネットの断熱材は、真空断熱パネルから構成されており、前記一対の補強部材取付部は、左右に対向する前記一対の内板に夫々設けられ、前記橋架状補強部材は、この一対の補強部材取付部に左右方向の連結位置調整可能に連結されることを特徴とする。
【図面の簡単な説明】
【０００７】
【図１】第１実施形態による冷蔵庫の斜視図
【図２】断熱キャビネットを上方から見た斜視図
【図３】断熱キャビネットを下方から見た斜視図
【図４】断熱キャビネットの分解斜視図
【図５】左側壁用断熱パネルの分解斜視図
【図６】断熱キャビネットの横断平面図
【図７】左側壁用断熱パネル及び天井壁用断熱パネルのコーナー部の縦断正面図
【図８】縦補強部材及び上部補強部材を図示したヒンジ部材取付前における断熱キャビネットの斜視図
【図９】上部補強部材を分離した状態での前仕切部材取付前における断熱キャビネットの斜視図
【図１０】左側壁用断熱パネルの前部分の横断平面図
【図１１】図１０とは異なる部分での左側壁用断熱パネルの前部分の横断平面図
【図１２】ヒンジ部材部分の正面図
【図１３】図１２の切断線Ｘ１３−Ｘ１３による横断平面図
【図１４】図２の切断線Ｘ１４−Ｘ１４による横断平面図
【図１５】図１４の切断線Ｘ１５−Ｘ１５による縦断側面図
【図１６】図２の切断線Ｘ１６−Ｘ１６による縦断側面図
【図１７】棚受部材部分の斜視図
【図１８】左側壁用断熱パネルにおける冷蔵室底板用取付部材部分の縦断側面図
【図１９】橋架状補強部材を分離した状態での冷蔵室底板用取付部材部分の斜視図
【図２０】左側壁用断熱パネルにおける第１のレール用取付部材部分の縦断側面図
【図２１】第１のレール用取付部材にレールを取り付けた状態での縦断側面図
【図２２】仕切壁用取付部材部分の斜視図
【図２３】左側壁用断熱パネルにおける仕切壁用取付部材部分の縦断側面図
【図２４】第２実施形態を示す図１８相当図
【図２５】第３実施形態を示す図１８相当図
【図２６】第４実施形態を示す左側壁用断熱パネル、底壁用断熱パネル及び右側壁用断熱パネルの縦断正面図
【図２７】参考例を示す断熱キャビネットの横断平面図
【図２８】断熱キャビネットの縦断正面図
【発明を実施するための形態】
【０００８】
第１実施形態について図１ないし図２３を参照して説明する。図１には第１実施形態の冷蔵庫１の外観が示され、図２及び図３には冷蔵庫１の断熱キャビネット２の外観が示されている。断熱キャビネット２の内部には、上から順に冷蔵室３、野菜室４が設けられ、この野菜室４の下方に製氷室５と小冷凍室６が左右に並べて設けられ、最下部に主冷凍室７が設けられている。
【０００９】
これら冷蔵室３、野菜室４、製氷室５、小冷凍室６、及び主冷凍室７は、それぞれ貯蔵室を形成している。このうち、冷蔵室３及び野菜室４は、庫内温度が例えば１℃〜５℃程度の冷蔵温度に制御される。このように冷蔵室３及び野菜室４は、いずれも冷蔵温度帯例えば０℃〜１０℃の貯蔵室であることから、この冷蔵室３及び野菜室４間では有る程度の断熱性を確保できれば良く、例えば合成樹脂製の冷蔵室底板８（板部材に相当）によって仕切られている。製氷室５、小冷凍室６、及び主冷凍室７は、庫内温度が例えば冷凍温度帯例えば−１８℃以下の冷凍温度に制御されるもので、冷凍温度帯の貯蔵室である。冷蔵温度帯の野菜室４と、冷凍温度帯の製氷室５及び小冷凍室６との間は、相互間の熱リークを極力防止するために断熱性を有する断熱仕切壁９によって上下に仕切られている。上記冷蔵室底板８は冷蔵室の底板を構成しており、貯蔵品が載置される。
【００１０】
図２及び図３に示すように断熱キャビネット２の前部において、前記冷蔵室底板８の前方に位置させて横方向に延びる前仕切部材１０が設けられ、前記断熱仕切壁９の前方に位置させて横方向に延びる前仕切部材１１が設けられている。また、断熱キャビネット２の前部において、製氷室５と小冷凍室６との間に位置させて上下方向に延びる前仕切部材１２が設けられ、製氷室５及び小冷凍室６と主冷凍室７との間に位置させて横方向に延びる前仕切部材１３が設けられている。
【００１１】
冷蔵室３は、前面が２枚の回転扉１５、１６によって開閉される。回転扉１５、１６は、図２及び図３に示すように、断熱キャビネット２の左右両端部の上部及び中間部に設けられたヒンジ部材１７ａ、１７ｂ、１８ａ、１８ｂを中心に前後方向に回動される観音開き式である。野菜室４は、前面が引き出し式の扉１９によって開閉される。その扉１９の裏側には、図示しない野菜収納容器が設けられている。製氷室５は、前面が引き出し式の扉２０によって開閉される。製氷室５には図示しない製氷装置が設けられ、扉２０の裏側には、図示しない氷収納容器が設けられている。小冷凍室６は、前面が引き出し式の扉２１によって開閉される。その扉２１の裏側には、図示しない収納容器が設けられている。主冷凍室７も、前面が引き出し式の扉２２によって開閉される。その扉２２の裏側には、図示しない収納容器が設けられている。
【００１２】
前記断熱キャビネット２は、図４に示すように、いずれも断熱壁体に相当する、後壁を形成する後壁用断熱パネル２５と、左側壁を形成する左側壁用断熱パネル２６と、右側壁を形成する右側壁用断熱パネル２７と、天井壁を形成する天井壁用断熱パネル２８と、底壁を形成する底壁用断熱パネル２９とを組み合わせることによって、前面が開口した箱状に構成されている。
【００１３】
これら断熱パネル２５〜２９はいずれも真空断熱パネルを有して構成されている。前記後壁用断熱パネル２５、左側壁用断熱パネル２６及び右側壁用断熱パネル２７の基本的な概略構成は同様であるので、左側壁用断熱パネル２６を代表して説明する。図５に示すように、左側壁用断熱パネル２６は、外箱用の金属板製の外板３０Ｂと、内箱用の合成樹脂製の例えばシート部材からなる内板３１Ｂと、これら外板３０Ｂと内板３１Ｂとの間に挟まれた状態で配置される（介在する）断熱材としてパネル状の真空断熱パネル３２とから構成されている。
【００１４】
前記左側壁用断熱パネル２６の内板３１Ｂには、図５に示すように、棚受部材４０、冷蔵室底板用取付部材４１、第１のレール用取付部材４２、仕切壁用取付部材４３、第２のレール用取付部材４４、支持具６５が取り付けられており、これらを一体に備えた状態で、前記真空断熱パネル３２に接着されるものである。
【００１５】
真空断熱パネル３２は、図７、図１６、図１８に示すように、一面を内板３１Ｂの裏面に図示しない接着剤により接着固定すると共に、前記一面とは反対側の他面を外板３０Ｂの内面に図示しない接着剤により接着固定することにより、内板３１Ｂと外板３０Ｂとの間に挟み込まれた状態となっている。
【００１６】
真空断熱パネル３２は、図１６、図１８に示すように、ガラスウールなどのコア材３５と、ガスバリア性を有する包装材３８とから構成されている。真空断熱パネル３２は、コア材３５を包装材３８内に収容し、この状態で包装材３８内を真空引きすることによってパネル状（板状）に製造される。
【００１７】
なお、左側壁用断熱パネル２６の内板３１Ｂと対向する右側壁用断熱パネル２７の内板３１Ｃ（内板３１Ｂ及び内板３１Ｃが対向する一対の内板に相当）にも、図示はしないが、左側壁用断熱パネル２６の前記棚受部材４０と、冷蔵室底板用取付部材４１と、第１のレール用取付部材４２と、仕切壁用取付部材４３と、第２のレール用取付部材４４と対向するように、棚受部材４０と、冷蔵室底板用取付部材４１と、第１のレール用取付部材４２と、仕切壁用取付部材４３と、第２のレール用取付部材４４、支持具６５が設けられている。これら各部材４０〜４４、６５の取り付け構成については後述する。又、図６に示すように、後壁用断熱パネル２５も、左側壁用断熱パネル２６と同様に、外板３０Ａと内板３１Ａとの間に真空断熱パネル３２を介在させた構成である。
【００１８】
又、天井壁用断熱パネル２８は、図７に示すように、金属板からなる外板３０Ｄと、合成樹脂の一体成形品である内板３１Ｄと、前述の真空断熱パネル３２と、断熱材である発泡ウレタン３３とを有して構成されている。この場合、内板３１Ｄの裏面に真空断熱パネル３２を接着により接合し、この真空断熱パネル３２と外板３０Ｄとの間に発泡ウレタン３３を充填している。この天井壁用断熱パネル２８は、図１に示すように、後方上部にＬ状に凹む機械室２８ｋを有しており、この機械室２８ｋには冷凍サイクルのコンプレッサ３６が収容配置されている。
【００１９】
なお、底壁用断熱パネル２９も前記天井壁用断熱パネル２８とは形状は異なるが、当該天井壁用断熱パネル２８同様、外板３０Ｅと内板３１Ｅとの間に上述の真空断熱パネルと発泡ウレタンとを設けた構成である。前記外板３０Ａ〜３０Ｅは断熱キャビネット２の外面（キャビネット外面）を構成し、前記内板３１Ａ〜３１Ｂは断熱キャビネット２の庫内内面を構成する。
【００２０】
図６に示すように、後壁用断熱パネル２５と左側壁用断熱パネル２６とは、左後部のコーナー部において連結部に相当する固定具２３Ａや図示しないねじ等を用いて連結固定されている。また、後壁用断熱パネル２５と右側壁用断熱パネル２７とは、右後部のコーナー部において前記固定具２３Ａと同様の固定具２３Ｂやねじ等を用いて連結固定されている。このコーナー部には、適宜発泡スチロールやソフトテープ（スポンジテープ）などの断熱材３４ａ〜３４ｃが挿入配置されている。又、天井壁用断熱パネル２８及び底壁用断熱パネル２９も適宜これら各断熱パネル２５〜２７と連結固定されている。さらに、左側壁用断熱パネル２６の前部と右側壁用断熱パネル２７の前部とは、前記前仕切部材１０、１１、１２、１３によって連結されている。
【００２１】
図８及び図９に示すように、断熱キャビネット２の前面開口縁のうち、左右前縁（左側壁用断熱パネル２６の前縁及び右側壁用断熱パネル２７の前縁）は、縦補強部材５１、５１により補強されており、さらに上部前縁から左右前縁にかけては、上部補強部材５２により補強されている。なお、この図８及び図９には、各部材４０〜４４、６５は、図面の煩雑さを避けるため、図示を省略している。
【００２２】
前記左右の縦補強部材５１は左右対称形であるので、左側の縦補強部材５１について説明する。この縦補強部材５１は左側壁用断熱パネル２６の上下方向長さと略同等の長さに設定されており、その断面形状は、図１１に示すように、外側板部５１ａ、中間板部５１ｂ、内側板部５１ｃを有して断面コ状をなす。ただし、この縦補強部材５１の一部（前仕切部材１０、１１、１３との接合部）においては、図１３及び図１４に示すように、前記内側板部５１ｃが切除されたＬ状をなす。
【００２３】
この縦補強部材５１は、図１０に示すように、左側壁用断熱パネル２６の前縁部に上方から（あるいは下方から）挿入配置されている。この左側壁用断熱パネル２６の前縁部においては、外板３０Ｂの前部３０ｂが真空断熱パネル３２の前端部から離れて前側に回り込む形態をなしている。すなわち、この外板３０Ｂの前部３０ｂは、外板３０Ｂの主板部３０ａよりも若干外側に膨出して真空断熱パネル３２と離間する外側膨出部３０ｂ１と、この外側膨出部３０ｂ１の前端より内向きに屈曲する中間部３０ｂ２と、この中間部３０ｂ２の内側端より後方へ屈曲するＬ状の内側延出部３０ｂ３とを有して略コ状をなす。
【００２４】
このコ状の前部３０ｂの内側に前記縦補強部材５１が嵌合する形態で挿入配置されている。なお、この図１０において、真空断熱パネル３２と外側膨出部３０ｂ１との間には冷凍サイクルの放熱パイプ５３が配設され、また、内板３１Ｂと外板３０Ｂの前部３０ｂとの間にはこの間をシールする合成樹脂製のシール部材５４が配設されており、このシール部材５４には、断熱キャビネット２前面の結露を防止する防露パイプ５５（これは放熱パイプからなる）を固定するパイプホルダ部５４ａが形成されている。なお、前記放熱パイプ５３は図６に示すように左側壁用断熱パネル２６及び右側壁用断熱パネル２７の後部にも配設されている。又、この外板３０Ｂの前部３０ａ内には、例えばソフトテープからなる断熱材３７、３７が挿入配置されている。
【００２５】
前記上部補強部材５２は、図８、図９に示すように、中間板部５２ａとその両端部から直角をなして垂下状態に連結された左板部５２ｂと右板部５２ｃとから構成されており、左右板部５２ｂ、５２ｃが前記左側壁用断熱パネル２６、右側壁用断熱パネル２７の前部に上方から差し込まれて縦補強部材５１内面に配置固定され（図１１参照）、中間板部５２ａが天井壁用断熱パネル２８の前縁部に配置固定されている。
【００２６】
この場合、比較的重量が重い前記コンプレッサ３６が断熱キャビネット２の後部に存在するのに対して、これら縦補強部材５１及び上部補強部材５２は断熱キャビネット２の前部に存在し、もって、これら縦補強部材５１及び上部補強部材５２が断熱キャビネット２における前後の重量の均等化に寄与している。
【００２７】
前記断熱キャビネット２の左側壁用断熱パネル２６と前記前仕切部材１０との接合部分には、図１２及び図１３に示すように、前記ヒンジ部材１７ｂが取り付けられており、又、右側壁用断熱パネル２７と前仕切部材１０との接合部分には前記ヒンジ部材１８ｂ（図２参照）が取り付けられている。各ヒンジ部材１７ｂ、１８ｂの取り付け構成は、左右対称であるので、ヒンジ部材１７ｂ部分について説明する。縦補強部材５１は、当該前仕切部材１０との接合部においては、既述したように図１０に示した前記内側板部５１ｃが切除されたＬ状をなす。さらに同じく図１０に示した外板３０Ｂの内側延出部３０ｂ３も切除されている。
【００２８】
前記左側の縦補強部材５１裏面と前記前仕切部材１０裏面とにかけて、補強繋ぎ部材５６が配置固定されており、さらに、前記ヒンジ部材１７ｂが、左側壁用断熱パネル２６前面及び前仕切部材１０前面にかけて配置固定されている。
【００２９】
すなわち、前記ヒンジ部材１７ｂには、例えば３つのねじ挿通孔部１７ｂ１、１７ｂ２、１７ｂ３が形成され、又、外板３０Ｂの中間部３０ｂ２にねじ挿通孔部３０ｎが形成され、さらに、縦補強部材５１の中間板部５１ｂにもねじ挿通孔部５１ｂ１が形成されている。
【００３０】
さらに前記補強繋ぎ部材５６には、３つのねじ螺合孔部（これは雌ねじ部、タッピング用孔部を含む）５６ａ〜５６ｃが形成されていると共に、皿状の凹み部５６ｄが形成され、この凹み部５６ｄの底部にねじ挿通孔部５６ｅが形成されている。さらに前記前仕切部材１０にはねじ挿通孔部１０ａ、１０ｂが形成されている。
【００３１】
そして、前記補強繋ぎ部材５６を縦補強部材５１及び前仕切部材１０の裏側に配置すると共に、ヒンジ部材１７ｂを外板３０Ｂの中間部３０ｂ２の前面及び前仕切部材１０の前面に配置し、ヒンジ部材１７ｂのねじ挿通孔部１７ｂ１、外板３０Ｂのねじ挿通孔部３０ｎ及び縦補強部材５１のねじ挿通孔部５１ｂ１を通したねじ５７ａを補強繋ぎ部材５６のねじ螺合孔部５６ａにねじ締めし、ヒンジ部材１７ｂのねじ挿通孔部１７ｂ２、前仕切部材１０のねじ挿通孔部１０ａを通したねじ５７ｂを補強繋ぎ部材５６のねじ螺合孔部５６ｂにねじ締めし、そして、ヒンジ部材１７ｂのねじ挿通孔部１７ｂ３、前仕切部材１０のねじ挿通孔部１０ｂを通したねじ５７ｃを補強繋ぎ部材５６のねじ螺合孔部５６ｃにねじ締めする。
【００３２】
これによって、前記ヒンジ部材１７ｂが前仕切部材１０と左側壁用断熱パネル２６との接合部分に配置固定されている。なお、前記ヒンジ部材１８ｂも、同様にして前記仕切部材１０と右側壁用断熱パネル２７との接合部分に配置固定されている。
【００３３】
なお、上側のヒンジ部材１７ａ及び１８ａは、断熱キャビネット２における上部の左右のコーナー部にねじ固定されている。
なお、前仕切部材１０の裏側には、合成樹脂製の仕切裏カバー５８が設けられている。すなわち、この仕切裏カバー５８は、前仕切部材１０の取り付け前において、予め前記補強繋ぎ部材５６のねじ挿通孔部５６ｅに通したねじ（皿ねじ）５９により当該補強繋ぎ部材５６を介して前仕切部材１０に固定されている。
【００３４】
次に、前仕切部材１１と左側壁用断熱パネル２６との接合部分、前仕切部材１１と右側壁用断熱パネル２７との接合部分とについて説明するが、両部分は左右対称形であるので、前仕切部材１１と左側壁用断熱パネル２６との接合部分について、図１４及び図１５を参照して説明する。すなわち、縦補強部材５１は、当該前仕切部材１１との接合部においては、既述したように図１０に示した前記内側板部５１ｃが切除されたＬ状をなす。さらに外板３０Ｂの図１０に示した内側延出部３０ｂ３も切除されている。そして、縦補強部材５１と補強当て部材６１とにより前仕切部材１１が取り付けられている。
【００３５】
すなわち、外板３０Ｂの中間部３０ｂ２には、ねじ挿通孔部３０ｍが形成され、さらに、縦補強部材５１の中間板部５１ｂにもねじ挿通孔部５１ｂ２が形成されている。
さらに前記補強当て部材６１は前記補強繋ぎ板５６と同じ構成であり、３つのねじ螺合孔部６１ａ〜６１ｃが形成されていると共に、皿状の凹み部６１ｄが形成され、この凹み部６１ｄの底部にねじ挿通孔部６１ｅが形成されている。さらに前記前仕切部材１１にはねじ挿通孔部１１ａ、１１ｂが形成されている。
【００３６】
そして、前記補強当て部材６１を縦補強部材５１及び前仕切部材１１の裏側に配置し、外板３０Ｂのねじ挿通孔部３０ｍ及び縦補強部材５１のねじ挿通孔部５１ｂ２を通したねじ６２ａを補強当て部材６１のねじ螺合孔部６１ａにねじ締めし、前仕切部材１１のねじ挿通孔部１１ａを通したねじ６２ｂを補強当て部材６１のねじ螺合孔部６１ｂにねじ締めし、そして、前仕切部材１１のねじ挿通孔部１１ｂを通したねじ６２ｃを補強当て部材６１のねじ螺合孔部６１ｃにねじ締めする。
【００３７】
なお、前仕切部材１１の裏側には、合成樹脂製の仕切裏カバー６３が設けられている。すなわち、この仕切裏カバー６３は、前仕切部材１１の取り付け前において、予め前記補強当て部材６１のねじ挿通孔部６１ｅに通したねじ（皿ねじ）６４により当該補強当て部材６１を介して前仕切部材１１に固定されている。さらに、前記仕切裏カバー６３は、左側壁用断熱パネル２６に設けられた支持具６５により支持されている。
【００３８】
この支持具６５は、突出部６５ａと、この突出部６５ａから上下方向に延出する延出部６５ｂ、６５ｃとを有する。そして、この支持具６５は、左側壁用断熱パネル２６の組み立て前に、その突出部６５ａが内板３１Ｂの孔部３１ｋに裏側から挿入されて表側に突出され、延出部６５ｂ、６５ｃが内板３１Ｂ裏面に接着されている。左側壁用断熱パネル２６の組み立て完成状態では、この延出部６５ｂ、６５ｃは真空断熱パネル３２にも接着され、内板３１Ｂと真空断熱パネル３２とで挟持されている。
【００３９】
前記突出部６５ａには、ねじ挿通孔部６５ｄが形成されており、このねじ挿通孔部６５ｄは、左右方向に若干長い長孔状に形成されている。
一方、前記仕切裏カバー６３の下部には、固定具６５により支持される被支持部６３ａが凹んで形成されている。そして、この被支持部６３ａにはねじ螺合孔部６３ｂが形成されている。又、この仕切裏カバー６３は、左側壁用断熱パネル２６及び右側壁用断熱パネル２７との間には予め隙間Ｇが存するように、その左右長さ寸法が設定されている。つまり、左側壁用断熱パネル２６及び右側壁用断熱パネル２７は、製造時において、断熱キャビネット２は外側幅寸法Ｈｓ（図６参照）を順守するように組み立てられるものであり、そうすると、左側壁用断熱パネル２６及び右側壁用断熱パネル２７の厚み寸法にばらつきが発生すると、内側幅寸法Ｈｕにばらつきが発生する。このばらつきを予め見越しても隙間Ｇが出る長さに設定されている。ただし、この隙間Ｇは僅かであり、仮に左側壁用断熱パネル２６及び右側壁用断熱パネル２７が、冷却時において内外側部の熱収縮率の差によって湾曲しようとした場合でも、大きな湾曲を阻止できる程度に設定している。この隙間Ｇには、ソフトテープなどの断熱材を詰めても良い。
【００４０】
そして、前記仕切裏カバー６３は、その下部が前記支持具６５により支持されて、ねじ挿通孔部６５ｄに通したねじ６６をねじ螺合孔部６３ｂにねじ止めすることにより、当該支持具６５により支持固定されている。
【００４１】
一方、左側壁用断熱パネル２６に設けられた前記棚受部材４０と、冷蔵室底板用取付部材４１と、第１のレール用取付部材４２と、仕切壁用取付部材４３と、第２のレール用取付部材４４について説明する。
【００４２】
前記棚受部材４０は、図１６、図１７に示すように、例えば金属板により形成されたもので、複数例えば上方で左右対をなす突出部４０ａと、下方で左右対をなす突出部４０ｂと、これら突出部４０ａと、突出部４０ｂとを繋ぐと共に上下方向へ延出する延出部４０ｃとを有して構成されている。前記突出部４０ａ、４０ｂは、鉤状をなす。
【００４３】
そして内板３１Ｂには、孔部３１ａ、３１ｂが上下に離れて形成されており、左側壁用断熱パネル２６の組み立て前において、内板３１Ｂの裏面（冷蔵庫の庫内の面を表面としたときの裏面）から、前記突出部４０ａ、４０ｂを孔部３１ａ、３１ｂに挿入して内板３１Ｂ表側へ突出させ、延出部４０ｃを内板３１Ｂ裏面の孔部３１ａ、３１ｂ周辺部に接着している。そして、この延出部４０ｃ及び内板３１Ｂの一体物（図５参照）の裏面と真空断熱パネル３２とを接着している。この左側壁用断熱パネル２６の組み立て完成状態では、この延出部４０ｃは内板３１Ｂと真空断熱パネル３２とで挟持されている（図１６参照）。
【００４４】
この場合、図示しない棚は上記棚受部材４０の鉤状の突出部４０ａ、４０ｂに載せられるものである。
前記冷蔵室底板用取付部材４１は、補強部材取付部を兼用するものであり、図２、図３に示すように、冷蔵室３と野菜室４との間を上下に仕切る冷蔵室底板８（板部材に相当）の下側となる部位に位置させて設けられている。
【００４５】
この冷蔵室底板用取付部材４１は、図１８、図１９に示すように、例えば金属板から全体として前後方向に延びる長尺状に形成されており、突出部としての略水平向き状態の突出部４１ａと、この突出部４１ａから垂下状に延出された延出部４１ｂとを有し、さらにこの延出部４１ｂの下端部に略水平に張り出す係合部４１ｃとを有して構成されている。前記突出部４１ａと延出部４１ｂとはＬ状に連続しており、この冷蔵室底板用取付部材４１は全体として断面コ状をなす。
【００４６】
突出部４１ａには、長尺方向に沿う（前後方向に延びる）複数のスリット状の連結用孔部である配置孔部４１ｄが形成されていると共に、左右方向に長い長孔からなる連結用孔部であるねじ挿通孔部４１ｅが形成されている。
【００４７】
又、内板３１Ｂには、前記突出部４１ａを内板３１Ｂ裏側から挿入するためのスリット状の孔部３１ｄと、前記係合部４１ｃを同じく内板３１Ｂ裏側から挿入するためのスリット状の孔部３１ｅが形成されている。
【００４８】
前記冷蔵室底板用取付部材４１は、その突出部４１ａ及び係合部４１ｃが、左側壁用断熱パネル２６の組み立て前における内板３１Ｂの前記孔部３１ｄ、３１ｅに裏側から挿入されて表側に突出され、延出部４１ｂが内板３１Ｂ裏面に接着されている。左側壁用断熱パネル２６の組み立て完成状態では、この延出部４１ｂは内板３１Ｂと真空断熱パネル３２とで挟持されている。上記係合部４１ｃと前記孔部３１ｅとの係合により取付強度が向上する。
【００４９】
前記冷蔵室底板用取付部材４１は、左右の内板３１Ｂ、３１Ｃに対向して一対設けられており、この冷蔵室底板用取付部材４１、４１に橋架状補強部材７１の一端部及び他端部が連結されている。すなわち、この橋架状補強部材７１は、例えば、金属板から細長い棒状に形成されており、橋架状補強部材７１の一端部及び他端部が、これら冷蔵室底板用取付部材４１、４１の中央部分のねじ挿通孔部４１ｅに下方から通したねじ７２により、ねじ止めされて連結されている。この場合、ねじ挿通孔部４１ｅが左右方向に長孔であるから、橋架状補強部材７１が左右の冷蔵室底板用取付部材４１に対して連結位置調整可能であり、左側壁用断熱パネル２６及び右側壁用断熱パネル２７の厚みにばらつきがあっても、橋架状補強部材７１を左右の冷蔵室底板用取付部材４１に良好に取り付けることが可能となる。
【００５０】
すなわち、既述したように、製造時において、断熱キャビネット２は外側幅寸法Ｈｓ（図６参照）を順守するように組み立てられるものであり、そうすると、左側壁用断熱パネル２６及び右側壁用断熱パネル２７の厚み寸法にばらつきが発生すると、内側幅寸法Ｈｕにばらつきが発生する。このばらつきを予め見越して、前記ねじ挿通孔部４１ｅが長孔（ねじ７２の径よりも大きな長孔）に形成されている。このねじ挿通孔部４１ｅでの橋架状補強部材７１の位置調整後は、ねじ７２により当該橋架状補強部材７１が冷蔵室底板用取付部材４１に対して強固に連結されるから、前述の湾曲変形は確実に防止できる。
【００５１】
前記冷蔵室底板用取付部材４１の配置孔部４１ｄに、前記冷蔵室底板８の係合突起（図示せず）が上方から係合されて配置固定されている。
この場合、比較的重量が重い前記コンプレッサ３６が断熱キャビネット２の後部に存在するのに対して、この橋架状補強部材７１は断熱キャビネット２の前部に存在し、もって、この橋架状補強部材７１が断熱キャビネット２における前後の重量の均等化に寄与している。
【００５２】
前記第１のレール用取付部材４２は、野菜室４に対応する部位に位置させて前部と後部に設けられている。この第１のレール用取付部材４２について図２０、図２１を参照して説明する。この第１のレール用取付部材４２は、例えば金属板からなり、ほぼ円筒形（椀に近い円筒形）の突出部４２ａと、この突出部４２ａの一端から周囲に延びる延出部４２ｂとを有する構成である。さらに、延出部４２ｂの上部中央１箇所に上向きにＬ状をなす係合部４２ｃが形成され、又下部左右２箇所に、庫内に突出する形態の係合部４２ｄが形成されている。なお、突出部４２ａにはねじ螺合孔部４２ｅを有する。
【００５３】
そして内板３１Ｂには、前記突出部４２ａを挿入し突出させるための孔部３１ｆが形成されていると共に、この孔部３１ｆの上方１箇所に係合孔部３１ｇが形成され、下方２箇所に係合孔部３１ｈが形成されている。
【００５４】
前記第１のレール用取付部材４２を内板３１Ｂに取り付けるについては、左側壁用断熱パネル２６の組み立て前において、内板３１Ｂの裏面から、前記突出部４２ａを前記孔部３１ｆに挿入して内板３１Ｂ表側へ突出させ、上方の係合孔部３１ｇに上方の係合部４２ｃを挿入係合させ、下方の係合孔部３１ｈに下方の係合部４２ｄを挿入係合させ、そして、延出部４２ｂを内板３１Ｂの裏面に接着している。左側壁用断熱パネル２６の組み立て完成状態では、この延出部４２ｂは、真空断熱パネル３２にも接着されており、もって、内板３１Ｂと真空断熱パネル３２とで挟持されている。
【００５５】
前記二つの第１のレール用取付部材４２の突出部４２ａのねじ螺合孔部４２ｅには、図２１に示すように、前後に延びるレール４５がねじ止めされている。このレール４５は、野菜室４の扉１９の裏側に取り付けられる支持枠（図示せず）の前後方向の移動を案内する。
【００５６】
前記仕切壁用取付部材４３は、補強部材取付部を兼用するものであり、前記断熱仕切壁９が設けられる部位の近傍であるこの場合下側に位置させて、前後方向に延びる形態に設けられている。この仕切壁用取付部材４３について、図２２、図２３を参照して説明する。この仕切壁用取付部材４３は、前記冷蔵室底板用取付部材４１と同じ構成としている。すなわち、この仕切壁用取付部材４３は、例えば金属板から全体として前後方向に延びる長尺状に形成されており、突出部としての突出部４３ａと、この突出部４３ａから垂下状に延出された延出部４３ｂとを有し、さらに延出部４３ｂの下端部に係合部４３ｃを有して構成されている。上記突出部４３ａと延出部４３ｂとはＬ状に連続している。
【００５７】
突出部４３ａには、長尺方向に沿う（前後方向に延びる）複数のスリット状の連結用孔部である配置孔部４３ｄが形成されている。
又、内板３１Ｂには、前記突出部４３ａを内板３１Ｂ裏側から挿入するためのスリット状の孔部３１ｉと、前記係合部４３ｂを同じく内板３１Ｂ裏側から挿入するためのスリット状の孔部３１ｊが形成されている。
【００５８】
前記仕切壁用取付部材４３は、その突出部４３ａ及び係合部４３ｃが、左側壁用断熱パネル２６の組み立て前における内板３１Ｂの前記孔部３１ｉ、３１ｊに裏側から挿入されて表側に突出され、延出部４３ｂが内板３１Ｂ裏面に接着されている。左側壁用断熱パネル２６の組み立て完成状態では、この延出部４３ｂは、真空断熱パネル３２にも接着され、内板３１Ｂと真空断熱パネル３２とで挟持されている。上記係合部４３ｃと前記孔部３１ｊとの係合により取付強度が向上する。
【００５９】
そして、図２３に示すように前記断熱仕切壁９（これは橋架状補強部材を兼用する）は、外筐部９ａの内部に発泡ウレタンなどの断熱材９ｂを配設して構成されており、外筐部９ａの両端部下部に突起部９ｃ（片方のみ図示）が形成されている。この突起部９ｃが、左側壁用断熱パネル２６及び右側壁用断熱パネル２７に夫々取り付けられた仕切壁用取付部材４３の配置孔部４３ｄに差し込まれて係合されている。これにより断熱仕切壁９が断熱キャビネット２にその内部を上下に仕切るように配設されている。
【００６０】
この場合、前記断熱仕切壁９の左右長さは、前述したように、前記左側壁用断熱パネル２６及び右側壁用断熱パネル２７の厚み寸法のばらつきを考慮して、隙間Ｇが出る長さに設定されている。又、同様の理由で、この断熱仕切壁９の突起部９ｃの左右幅寸法に対して前記配置孔部４３ｄを左右方向長さをやや大きめに設定している。これにより、断熱仕切壁９も仕切壁用取付部材４３に対して連結位置調整可能である。
【００６１】
前記第２のレール用取付部材４４は、主冷凍室７に対応する部位に位置させて前部と後部とに設けられている。この第２のレール用取付部材４４は、前記第１のレール用取付部材４２と、同様の構成であって、同様にして内板３１Ｂに取り付けられている。
【００６２】
なお、前記隙間Ｇには適宜ソフトテープなどの断熱材を詰めると良い。
上述した実施形態によれば、断熱キャビネット２の庫内で対向する内板３１Ｂ、３１Ｃの対向内面に、一対の補強部材取付部である冷蔵室底板用取付部材４１、４１（左側のもののみ図示）を設け、一方（左方）の冷蔵室底板用取付部材４１に橋架状補強部材７１の一端部を連結し、他方（右方）の冷蔵室底板用取付部材４１に橋架状補強部材７１の他端部を連結したから、断熱壁である左側壁用断熱パネル２６及び右側壁用断熱パネル２７が、外側へ湾曲変形することを確実に防止できる。
【００６３】
特に左側壁用断熱パネル２６及び右側壁用断熱パネル２７の壁の厚さは、３５ｍｍ以下の場合に特に有効であり、本実施形態では、真空断熱パネル３２が２０ｍｍ、内板及び外板の合計厚さが１．５ｍｍであって、全体厚さが２１．５ｍｍであり、さらに有効な２５ｍｍ以下の厚さとなっている。
【００６４】
本実施形態では、断熱キャビネット２の各断熱壁を、真空断熱パネル３２を備えた断熱パネル２５〜２９から構成することで、各断熱壁の厚さの薄型化を図っている。この場合薄型化に伴い、前述の湾曲変形が懸念されるが、当該湾曲変形を防止でき、薄型化を図った断熱キャビネットに大いに有効である。
【００６５】
なお、断熱キャビネットとしては、外板（外箱）と内板（内板）との間に発泡ウレタンを充填して構成される断熱キャビネットであっても良く、この構成の断熱キャビネットであっても断熱壁の薄肉化の際に大いに有効となる。
【００６６】
又、本実施形態によれば、図３、図１８、図１９に示したように、断熱キャビネット２とは別部材であって庫内を上下に仕切り且つ貯蔵品が配置される板部材として、冷蔵室底板８を備え、一対の補強部材取付部である冷蔵室底板用取付部材４１を、内板３１Ｂ、３１Ｃの対向内面において前記冷蔵室底板８の左右端部の近傍であって且つ当該冷蔵室底板８の下側となる部位に設け、この一対の冷蔵室底板用取付部材４１に橋架状補強部材７１を連結したから、この橋架状補強部材７１を、貯蔵品の貯蔵スペースを邪魔することなく設けることができる。
【００６７】
さらに、この冷蔵室底板８部分で左側壁用断熱パネル２６及び右側壁用断熱パネル２７の外側へ湾曲変形を防止できるから、冷蔵室底板８と各左側壁用断熱パネル２６及び右側壁用断熱パネル２７との間で湾曲による隙間が発生することがない。
【００６８】
又、本実施形態によれば、橋架状補強部材７１を、細長い棒状に形成して、左右に対向する左側壁用断熱パネル２６の内板３０Ｂ、右側壁用断熱パネル２７の内板３１Ｃにおいて前後方向の少なくともほぼ中間部に設けたから、湾曲が大きくなることが予測される内板３１Ｂ、３１Ｃの前後中間部で当該内板３１Ｂ、３１Ｃを固定しておくことができ、前記内板３１Ｂ、３１Ｃの湾曲変形を効果的に防止することができる。
【００６９】
前記橋架状補強部材７１は細長い棒状でなくても、前後にも広い構造としても良い。
この場合、左側壁用断熱パネル２６及び右側壁用断熱パネル２７の前後中間部が前記橋架状補強部材７１で連結されていることに加え、両パネル２６、２７の後部は後壁用断熱パネル２５で連結され、且つ前部は前仕切部材１０によって連結されているから、これら左側壁用断熱パネル２６及び右側壁用断熱パネル２７の湾曲変形をより確実に防止できる。
【００７０】
又、本実施形態によれば、図３、図２２、図２３に示したように、橋架状補強部材として、断熱キャビネット２とは別部材であって庫内を上下に仕切る断熱仕切壁９を備え、一対の補強部材取付部である仕切壁用取付部材４３を、内板３１Ｂ、３１Ｃの対向内面において前記断熱仕切壁９の左右端部の近傍となる部位に設け、この一対の仕切壁用取付部材４３に前記断熱仕切壁９を連結したから、この断熱仕切壁９を橋架状補強部材として利用することができ、この断熱仕切壁９によっても、断熱キャビネット２の左側壁用断熱パネル２６及び右側壁用断熱パネル２７の湾曲変形を防止することができる。
【００７１】
そして断熱仕切壁９自体で左側壁用断熱パネル２６及び右側壁用断熱パネル２７の外側へ湾曲変形を防止できるから、断熱仕切壁９と各左側壁用断熱パネル２６及び右側壁用断熱パネル２７との間で湾曲による隙間が発生することがない。
【００７２】
本実施形態では、上述した橋架状補強部材７１とこの断熱仕切壁９との二つ（２か所）によって、断熱キャビネット２の湾曲変形を防止することができるから、湾曲防止効果がさらに上がる。但し、橋架状補強部材７１とこの断熱仕切壁９とのうちいずれか一方でも良い。
【００７３】
又、本実施形態によれば、補強部材取付部である冷蔵室底板用取付部材４１（仕切壁用取付部材４３）は、内板３１Ｂ、３１Ｃと別部材により構成されており、且つ、この冷蔵室底板用取付部材４１は、突出部４１ａと、この突出部４１ａから垂下状に延出されてＬ状に連続する延出部４１ｂとを有し、前記内板３１Ｂ、３１Ｃには、孔部３１ｄが形成され、前記延出部４１ｂが前記内板３１Ｂ、３１Ｃ裏面の孔部３１ｄ周辺部と真空断熱パネル３２とに接着された形態で、前記突出部４１ａが前記孔部３１ｄから内板表側に突出するから、内板３１Ｂ、３１Ｃとは別体の冷蔵室底板用取付部材４１を強固に左側壁用断熱パネル２６及び右側壁用断熱パネル２７に取り付けることができる。
【００７４】
さらに冷蔵室底板用取付部材４１が、突出部４１ａの他に、延出部４１ｂの下端部に略水平に張り出す係合部４１ｃとを備え、この係合部４１ｃも、内板３１Ｂ、３１Ｃに形成された孔部３１ｅに内板３１Ｂ、３１Ｃの裏側から挿入係合させたから、左側壁用断熱パネル２６及び右側壁用断熱パネル２７に対する冷蔵室底板用取付部材４１の取り付けがさらに強化される。
【００７５】
前記仕切壁用取付部材４３も前記冷蔵室底板用取付部材４１と同様の構成であるので、同様の効果を奏する。
又、本実施形態によれば、図２３に示したように、補強部材取付部である仕切壁用取付部材４３の突出部４３ａには、連結用孔部である配置孔部４３ｄが形成され、橋架状補強部材である断熱仕切壁９の両端部には、前記配置孔部４３ｄに挿入係合される突起部９ｃが形成されているから、ねじを用いずに、橋架状補強部材である断熱仕切壁９を仕切壁用取付部材４３に連結固定できる。
【００７６】
又、本実施形態によれば、断熱キャビネット２の上部後部にコンプレッサ３６を備え、橋架状補強部材７１が、このコンプレッサ３６よりも前の部分に位置する構成とした。すなわち、比較的重量が重い前記コンプレッサ３６が断熱キャビネット２の後部に存在するのに対して、この橋架状補強部材７１は断熱キャビネット２の前部に存在するから、この橋架状補強部材７１が断熱キャビネット２における前後の重量の均等化に寄与している。
【００７７】
又、本実施形態によれば、図１８に示したように、冷蔵室底板用取付部材４１のねじ挿通孔部４１ｅ左右方向に長孔に形成することで、前記橋架状補強部材７１が、冷蔵室底板用取付部材４１に対して左右方向の連結位置調整可能に連結されるから、左側壁用断熱パネル２６及び右側壁用断熱パネル２７の厚み寸法にばらつきがあっても、橋架状補強部材７１を左右の冷蔵室底板用取付部材４１に良好に取り付けることができる。
【００７８】
又、図２３に示したように、この断熱仕切壁９の突起部９ｃの左右幅寸法に対して前記仕切壁用取付部材４３の配置孔部４３ｄを左右方向長さをやや大きめに設定している。これにより、断熱仕切壁９も仕切壁用取付部材４３に対して連結位置調整可能としたから、上述と同様に、左側壁用断熱パネル２６及び右側壁用断熱パネル２７の厚み寸法にばらつきがあっても、断熱仕切壁９を左右の仕切壁用取付部材４３に良好に取り付けることができる。
【００７９】
又、本実施形態によれば、断熱キャビネット２とは別部材であって前記庫内を上下に仕切る断熱仕切壁９により橋架状補強部材が構成されているから、断熱仕切壁９を利用して左側壁用断熱パネル２６及び右側壁用断熱パネル２７の湾曲変形を防止することができる。
【００８０】
図２４は第２実施形態を示しており、図１８の冷蔵室底板用取付部材４１に相当する冷蔵室底板用取付部材８１を、ほぼ水平をなす突出部８１ａの基端部に対して延出部８１ｂ、８１ｃが上下方向に延出する断面Ｔ状をなす構成としている。突出部８１ａにはねじ挿通孔部４１ｅに相当するねじ挿通孔部８１ｄが形成されている。この第２実施形態によれば、冷蔵室底板用取付部材８１を、単に突出部８１ａと延出部８１ｂとでＬ状に構成する場合（あるいは突出部８１ａと延出部８１ｃとでＬ状に構成する場合）に比して、左側壁用断熱パネル２６（右側壁用断熱パネル２７）に対する取付強度を高くすることができる。
【００８１】
図２５は第３実施形態を示しており、補強部材取付部である冷蔵室底板用取付部材８３を内板３１Ｂ、３１Ｃと一体に形成に形成した点が第１実施形態と異なる。この場合、内板３１Ｂ、３１Ｃは、シート部材ではなく、真空成形などによる一体成形品（型成形品）である。そして、冷蔵室底板用取付部材８３には、ねじ螺合孔部８３ａが形成されている。又、橋架状補強部材８４には、左右方向に長い長孔からなるねじ挿通孔部８４ａが形成されている。このねじ挿通孔部８４ａを通したねじ７２を前記ねじ螺合孔部８３ａにねじ締めし、もって、橋架状補強部材８４を冷蔵室底板用取付部材８３に取り付けている。この第３実施形態によれば、部品数の削減を図ることができる。
【００８２】
図２６は第４実施形態を示している。この第４実施形態では、次の点が第１実施形態と異なる。すなわち、前記第１実施形態では、左側壁用断熱パネル２６と右側壁用断熱パネル２７と底壁用断熱パネル２９とにおける外板（外板３０Ｂ、３０Ｃ、３０Ｅ）が分割された形態であるが、この第４実施形態では、上述の外板が一枚の外板８５で構成されている。
【００８３】
ここで、断熱キャビネット２とは別部材であって庫内を上下に仕切り且つ貯蔵品が配置される板部材である冷蔵室底板８が、橋架状補強部材を兼用する構成としても良い。このようにすると、冷蔵室底板８を利用して左側壁用断熱パネル２６及び右側壁用断熱パネル２７の湾曲変形を防止できる。又、前記棚受部材４０が補強部材取付部を兼用する構成としても良く、この場合、当該棚受部材４０で受けられる棚板を橋架状補強部材兼用としても良い。
【００８４】
なお、第１実施形態では、断熱キャビネット２を、後、左右、上下の各壁部（後壁用断熱パネル２５、左側壁用断熱パネル２６、右側壁用断熱パネル２７、天井壁用断熱パネル２８、底壁用断熱パネル２９）に分割したが、その分割形態は、後壁部と上壁部とを一つの壁部とし、これに左壁部、右壁部を接合する形態としても良いし、その他、適宜分割形態は変更しても良い。この場合、真空断熱パネルも各壁部で一つ（平板状）としても良いし、複数の壁部にわたる形態（Ｌ状とかコ状）でも良い。
【００８５】
さらに断熱キャビネットの各壁部は、外板と内板との間に、真空断熱パネルと、発泡ウレタン等を適宜配置して構成しても良い。
さらに、真空断熱パネルは用いずに、箱状の内板と、箱状の外板との間に発泡ウレタンを充填固化して断熱キャビネットを構成しても良い。
【００８６】
以上説明した実施形態の冷蔵庫は、キャビネット外面を構成する外板と庫内内面を構成する内板との間に断熱材を介在させて構成される断熱キャビネットと、前記庫内で対向する一対の内板に夫々設けられた一対の補強部材取付部と、前記一対の補強部材取付部のうちの一方の補強部材取付部に一端部が連結され、且つ他方の補強部材取付部に他端部が連結された橋架状補強部材とを備えたことを特徴とし、これによれば、断熱キャビネットの壁が外側へ膨らむことを防止できる。
【００８７】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変更は、発明の範囲や要旨に含まれると共に、特許請求の範囲に記載された発明とその均等の範囲に含まれる。
【符号の説明】
【００８８】
図面中、１は実施形態による冷蔵庫、２は断熱キャビネット、８は冷蔵室底板（板部材）、９は断熱仕切壁（橋架状補強部材）、９ｃは突起部、１０、１１は前仕切部材、１７ａ、１７ｂ、１８ａ、１８ｂはヒンジ部材、２５は後壁用断熱パネル、２６は左側壁用断熱パネル、２７は右側壁用断熱パネル、２８は天井壁用断熱パネル、２９は底壁用断熱パネル、３０Ａ〜３０Ｅは外板、３１Ａ〜３１Ｅは内板、３２は真空断熱パネル、３３はコンプレッサ、３５はコア材、３８は包装材、４０は棚受部材、４１は冷蔵室底板用取付部材（補強部材取付部）、４１ａは突出部、４１ｂは延出部、４１ｄは配置孔部（連結用孔部）、４３は仕切壁用取付部材、４３ｄは配置孔部（連結用孔部）、５１は縦補強部材、５２は上部補強部材、５６は補強繋ぎ部材、５８は仕切裏カバー、６１は補強当て部材、６３は仕切裏カバー、７１は橋架状補強部材、８１は冷蔵室底板用取付部材（補強部材取付部）、８３は冷蔵室底板用取付部材、８４は橋架状補強部材を示す。
【図１】
0005872270.tif 000002
【図２】
0005872270.tif 000003
【図３】
0005872270.tif 000004
【図４】
0005872270.tif 000005
【図５】
0005872270.tif 000006
【図６】
0005872270.tif 000007
【図７】
0005872270.tif 000008
【図８】
0005872270.tif 000009
【図９】
0005872270.tif 000010
【図１０】
0005872270.tif 000011
【図１１】
0005872270.tif 000012
【図１２】
0005872270.tif 000013
【図１３】
0005872270.tif 000014
【図１４】
0005872270.tif 000015
【図１５】
0005872270.tif 000016
【図１６】
0005872270.tif 000017
【図１７】
0005872270.tif 000018
【図１８】
0005872270.tif 000019
【図１９】
0005872270.tif 000020
【図２０】
0005872270.tif 000021
【図２１】
0005872270.tif 000022
【図２２】
0005872270.tif 000023
【図２３】
0005872270.tif 000024
【図２４】
0005872270.tif 000025
【図２５】
0005872270.tif 000026
【図２６】
0005872270.tif 000027
【図２７】
0005872270.tif 000028
【図２８】
0005872270.tif 000029